(57)【要約】【課題】本発明の電気掃除機用袋体は、掃除機本体を袋体により支持して持ち運びを容易にすると共に、ホースや吸込具などをカバー部材の内側に収納することができる使用性の高い電気掃除機を提供すること。【解決手段】塵埃吸引用の電動送風機１１及び集塵室４を内蔵する掃除機本体２と、集塵室４に連通するホース２５とを備えた電気掃除機１に対応し、上部に開口部２４を有し掃除機本体２を収納する袋体３であって、袋体３には、開口部２４の長手方向に沿って、互いが対面するよう２つの提げ手部３１並びに肩掛け部４０が一体或いは別体に設けた電気掃除機用袋体とすることで、電気掃除機を容易に持ち運びでき使用性の向上が図れ、さらに、袋体３は、上面に開口部２４を有した構成であるため、ホース２５や吸込具２７を袋体３の内側に効率よく収納することができ使い勝手を良くすることができる。【選択図】図１
2017176402.tif 000002
【特許請求の範囲】
【請求項１】
塵埃吸引用の電動送風機及び集塵室を内蔵する掃除機本体と、前記集塵室に連通するホースとを備えた電気掃除機に対応し、上部に開口部を有し前記掃除機本体を収納する袋体であって、前記袋体には、前記開口部の長手方向に沿って、互いが対面するよう２つの提げ手部並びに肩掛け部が一体或いは別体に設けられたことを特徴とする電気掃除機用袋体。
【請求項２】
前記袋体は４方の側壁部と底部から形成され、前記４方の側壁部は、対面する２方の長手方向の側壁部と、対面する２方の短手方向の側壁部とから成り、前記短手方向の側壁部に凹み部を形成した請求項１に記載の電気掃除機用袋体。
【請求項３】
前記提げ手部の内周部と、前記開口部の長手方向の端部との間で形成される空間部の形状を、２つの提げ手部共に、人の肩に引っ掛け可能となる大きさにした請求項１または２に記載の電気掃除機用袋体。
【請求項４】
前記請求項１〜３のいずれかの電気掃除機用袋体を備えた電気掃除機。
【発明の詳細な説明】
【技術分野】
【０００１】
本願発明は電気掃除機に関して、掃除機本体、及びホース、吸込具などの掃除機付属品を収納可能とする電気掃除機用袋体およびこれを用いた電気掃除機に関するものである。
【背景技術】
【０００２】
従来のこの種の電気掃除機としては、掃除機本体及びホース、吸込具などの掃除機付属品を収納する鞄状の収納ケース（樹脂製）を有し、収納ケースは掃除機本体を固定する本体ケースと、これにヒンジで結合された蓋ケースから構成される。収納ケースには掃除機本体の集塵室に連通するホースを通す開口と、掃除機本体からの排気を出すための開口を設けている。また、ホース開口部には蓋を設け、蓋を開けると電源スイッチが露出する。
【０００３】
図１９に示すように、使用者は、収納ケースの開口からホースを引き出し、収納ケースの上部に形成された提げ手部を持った状態或いは、ベルト体を収納ケースに取付け、肩に掛けた状態で掃除を行う（例えば特許文献１参照）。
【先行技術文献】
【特許文献】
【０００４】
【特許文献１】昭６３−２３０１３３号公報
【発明の概要】
【発明が解決しようとする課題】
【０００５】
前記従来の構成において、使用者が収納ケース内に掃除機本体のほか、ホースや吸込具などの掃除機付属品を収納することができるため、掃除機付属品を効率よく収納することができ、また紛失し難くなるなどの利点が考えられる。
【０００６】
一方で、使用者が掃除中に吸込具を交換あるいは収納ケース内に収納しようとした場合には、その都度収納ケースの本体ケースと蓋ケースを開閉する必要があり、掃除作業が中断されるため作業効率が低下するなどの課題があった。
【０００７】
また、収納ケースを樹脂の成型部品で構成することにより、製品重量が大幅に増加するため、使用者が収納ケース及び掃除機本体を持ち運ぶ際の負荷が大きく、使用性における課題があった。
【０００８】
本発明は上記従来の課題を解決するものであって、収納ケースからホースや吸込具などの掃除機付属品を取り出し易くすると共に、掃除機本体及び収納ケースの軽量化を図ることで、使用性の高い電気掃除機を提供することを目的とするものである。
【課題を解決するための手段】
【０００９】
前記従来の課題を解決するために、本発明は、塵埃吸引用の電動送風機及び集塵室を内蔵する掃除機本体と、前記集塵室に連通するホースとを備えた電気掃除機に対応し、上部に開口部を有し前記掃除機本体を収納する袋体であって、前記袋体には、前記開口部の長手方向に沿って、互いが対面するよう２つの提げ手部並びに肩掛け部が一体或いは別体に設けられたことを特徴とする電気掃除機用袋体としたものである。
【００１０】
これによって、前記袋体には前記開口部の長手方向に沿って、互いが対面するよう２つの提げ手部並びに肩掛け部が一体或いは別体に設けられたことにより、容易に持ち運び可能となり、使用性が向上する。また、前記袋体は、上面において開口した構成であるため
、前記ホースやホースに接続する吸込具を袋体の内側に収容させることが可能である。それゆえ、ホースや吸込具などの掃除機付属品を効率よく収納することができるので、掃除機の使用性を向上させることができる。
【発明の効果】
【００１１】
本発明の電気掃除機用袋体は、開口部の長手方向に沿って、互いが対面するよう２つの提げ手部並びに肩掛け部が一体或いは別体に設けられたことにより、容易に持ち運び可能となり、使用性が向上する。また、前記袋体は、上面において開口した構成であるため、ホースやホースに接続する吸込具を袋体の内側に収容させることが可能である。それゆえ、ホースや吸込具などの掃除機付属品を効率よく収納することができるので、使用性の高い電気掃除機を提供できる。
【図面の簡単な説明】
【００１２】
【図１】本発明の実施の形態１における電気掃除機の構成の一例を示す斜視図である。
【図２】同、電気掃除機の掃除機本体の構成の一例を示す斜視図である。
【図３】同、電気掃除機のカバー部材の構成の一例を示す斜視図である。
【図４】同、電気掃除機を前方から見た構成を示す正面図である。
【図５】同、電気掃除機の掃除機本体を前方から見た構成を示す正面図である。
【図６】同、電気掃除機を後方から見た構成を示す背面図である。
【図７】同、電気掃除機の掃除機本体を後方から見た構成を示す背面図である。
【図８】同、電気掃除機の掃除機本体を左側方から見た構成を示す側面図である。
【図９】同、電気掃除機を左側方から見た構成を示す側面図である。
【図１０】同、電気掃除機の前後方向の中央断面図である。
【図１１】同、電気掃除機のホース及びホースに接続する吸込具をカバー部材の内部に収納した状態を示す斜視図である。
【図１２】同、電気掃除機のホース及びホースに接続する吸込具をカバー部材の内部に収納した状態を示す断面図である。
【図１３】同、電気掃除機の前方から見た左右方向の断面構成を示す断面図である。
【図１４】同、電気掃除機の塵埃収納部を掃除機本体から取出した状態を示す斜視図である。
【図１５】（Ａ）同、電気掃除機のカバー部材の提げ手部を手で把持した状態での使用例を示す斜視図である。（Ｂ）同、電気掃除機のカバー部材の提げ手部を手で把持した状態でホースを収納する状態を示す斜視図である。（Ｃ）同、電気掃除機のカバー部材の提げ手部を腕に掛けた状態での使用例を示す斜視図である。（Ｄ）同、電気掃除機のカバー部材の提げ手部を肩に掛けた状態での使用例を示す斜視図である。
【図１６】（Ａ）本発明の実施の形態２における電気掃除機の肩掛けベルトを取り付けた一例を示す斜視図である。（Ｂ）同、電気掃除機において使用者が肩掛けベルトをタスキ掛けするようにして、カバー部と一緒に掃除機本体を携行する状態を示す斜視図である。
【図１７】同、電気掃除機の肩掛けベルトを取り付ける別構成の一例を示す斜視図である。
【図１８】本発明の実施の形態３における電気掃除機の構成の一例を示す斜視図である。
【図１９】従来の電気掃除機の斜視図である。
【発明を実施するための形態】
【００１３】
第１の発明は、塵埃吸引用の電動送風機及び集塵室を内蔵する掃除機本体と、前記集塵室に連通するホースとを備えた電気掃除機に対応し、上部に開口部を有し前記掃除機本体を収納する袋体であって、前記袋体には、前記開口部の長手方向に沿って、互いが対面す
るよう２つの提げ手部並びに肩掛け部が一体或いは別体に設けられたことを特徴とするものである。これにより、前記袋体には前記開口部の長手方向に沿って、互いが対面するよう２つの提げ手部並びに肩掛け部が一体或いは別体に設けられたことにより、容易に持ち運び可能となり、使用性が向上する。また、前記袋体は、上面において開口した構成であるため、前記ホースやホースに接続する吸込具を袋体の内側に収容させることが可能である。それゆえ、ホースや吸込具などの掃除機付属品を効率よく収納することができるので、電気掃除機の使用性を向上させることができる。
【００１４】
第２の発明は、特に第１の発明において、前記袋体は４方の側壁部と底部から形成され、前記４方の側壁部は、対面する２方の長手方向の側壁部と、対面する２方の短手方向の側壁部とから成り、前記短手方向の側壁部に凹み部を形成したことを特徴とするものである。これによって、前記ホースを前記袋体から容易に引出すことができ使用性の高い電気掃除機を提供することができる。
【００１５】
第３の発明は、特に第１または第２の発明の電気掃除機用袋体を、前記提げ手部の内周部と、前記開口部の長手方向の端部との間で形成される空間部の形状を、２つの提げ手部共に、人の肩に引っ掛け可能となる大きさにしたことを特徴としたものである。これにより、掃除機本体等を収納した袋体を肩掛けすることが可能となり負担なく持ち運びしながら掃除することができる。
【００１６】
第４の発明は、特に第１〜第３のいずれか１つの発明の電気掃除機用袋体を、電気掃除機に備えることで、使用者にとって使い勝手が良く、使用性の高い電気掃除機を提供できる。
【００１７】
以下、本発明の実施の形態について、図面を参照しながら説明する。なお、この実施の形態によって本発明が限定されるものではない。
【００１８】
（実施の形態１）
以下、本願発明の一実施形態について、図１〜図１５を用いて説明する。
【００１９】
本実施形態の掃除機は、図１及び図２に示す集塵室と電動送風機を内蔵した掃除機本体２と、掃除機本体２のホース接続部９に接続されるホース２５と、前記掃除機本体２を内部に収納するカバー部材３とで構成されている。
【００２０】
図１、図３に示すように、カバー部材３は、上面が開口した開口部２４を有し、掃除機本体２の底面部及び４方向の側面部を全面的或いは部分的に覆う袋体で構成され、カバー部材３の対面する２方の長手方向の側壁部３３に一対の提げ手部３１が一体に設けられている。これにより、使用者は提げ手部３１を把持して、掃除機本体２を持ち運びすることが可能である（図１５（Ａ）に示す）。
【００２１】
また、提げ手部３１の内周部と長手方向の側壁部３３の上端部で形成される空間は十分に大きくとられており、使用者が提げ手部３１を肘の内側に掛けたり（図１５（Ｃ）に示す）、或いは肩にかけて使用することも可能である（図１５（Ｄ）に示す）。
【００２２】
図１、図３、図６に示すように、カバー部材３の短手方向の側壁部３４には掃除機本体の前後方向に向けて前方開口部３５ａと後方開口部３５ｂが設けられ、前側の前方開口部３５ａからは掃除機本体２に内蔵された塵埃収納部５が突出するように構成されている。
【００２３】
図１０に示すように、塵埃収納部５は集塵室４の内側に着脱自在に配置されており、塵埃収納部５は係り部８において、集塵室４の内部に係止され、また、図１４に示すように
、着脱レバー７を押し下げることで、係り部８が解除され、掃除機本体２から取り外すことができる。これにより、使用者は前方開口部３５ａを介して、塵埃収納部５を取出し、内部に収納された塵埃を排出することが可能である。
【００２４】
また、図１、図２、図４、図５に示すように、前方開口部３５ａからは、掃除機本体２の下部外郭１７に設けた電源操作部１９及び表示部２０が突出しており、電源操作部１９を操作することにより、掃除機本体２の運転状態を切換えることが可能であるとともに、運転状態を表示部２０に表示することができる。
【００２５】
一方、後方開口部３５ｂからは掃除機本体２の排気口１５及び、充電用の電池２２に充電をするための充電用ソケット２３を設けた下部外郭１７が突出している。
【００２６】
本実施の形態１において、カバー部材３は布及びウレタンを用いて構成されており、これにより、カバー部材３の軽量化を図ると共に、使用者が持ち運ぶ際に、掃除機本体２が使用者の身体に接触した際の衝撃を和らげることができる。
またさらに、掃除機本体２に内蔵された電動送風機１１の振動が手に伝わることを低減させることができる。
また、掃除機本体２の外形に対して、柔軟に沿わせることが可能であり、電気掃除機１の外観性を向上させることができる。
【００２７】
柔軟性を有するカバー部材３で掃除機本体２を覆う場合、カバー部材３の内部で掃除機本体２が移動したり、カバー部材３の前方開口部３５ａ及び後方開口部３５ｂから脱落する可能性が考えられる。
【００２８】
そこで、本実施の形態１においては、前方開口部３５ａ及び後方開口部３５ｂはそれぞれ掃除機本体２の突出部形状に沿った形状とすることで、掃除機本体２の突出部と前方開口部３５ａ及び後方開口部３５ｂとの位置がずれるのを防止している。ここで、前方開口部３５ａ及び後方開口部３５ｂの端部を伸縮性のある縁取部材３６で構成することで、前方開口部３５ａ及び後方開口部３５ｂの形状を突出部形状に沿わせても良い。
【００２９】
加えて、図１３に示すように、カバー部材３の内部において、カバー部材３の対面する長手方向の側壁部３３の各々の内壁に、それぞれ固定ベルト３７をベルト取付部３８によって設けられ、固定ベルト３７を掃除機本体２の上面において、マジックテープ（登録商標）等によるベルト接続部３９によって互いに接続することで、掃除機本体２の側面とカバー部材３の内壁面との間に隙間が生じることを防止し、掃除機本体２をカバー部材３の内部に安定的に固定させる構成とした。
【００３０】
ここで、固定ベルト３７は掃除機本体２の上面よりも低い位置で、カバー部材３の内壁へ取り付けることで、掃除機本体２をカバー部材３の下方により確実に固定することが可能である。また、掃除機本体２の上面には、固定ベルト３７の位置に合わせて溝部やスリットなどを形成（図示せず）すれば、固定ベルト３７がずれることなく、より確実に固定することが可能となる。
【００３１】
図１０、図１１に示すように、掃除機本体２は、その上面がカバー部材３の上方開口部に対向するように、カバー部材３の内側下部に収納されると共に、カバー部材３の内側上部には、ホース２５及び吸込具２７を収納する収納部４４を設けた。掃除機本体２の上面にホース２５を接続するためのホース接続部９を形成することで、ホース２５を全体的にカバー部材３の内部に収納することができる。
【００３２】
図２に示すように、掃除機本体２の収納部４４に対向する面（上面）に、収納したホー
ス２５や吸込具２７を保持するための取付け形状を形成することで、ホース２５や吸込具２７をカバー部材３の内側に確実に保持させるように構成してもよい。取付け形状は上部外郭１６に一体、或いは別体に形成してもよい。
また、カバー部材３の内側に仕切りやポケット形状を設けることで、複数の吸込具２７を個別に収納しうるように構成してもよい。
【００３３】
またカバー部材３が上方に開口するため、使用者は片方の手でカバー部材３の提げ手部３１を把持した状態であっても、もう一方の手でホース２５や吸込具２７をカバー部材３から容易に取り出したり、或いは内部に収納することが可能である（図１５（Ｂ）に示す）。
【００３４】
図１、図１５に示すように、使用時においてはカバー部材３の短手方向の側壁部３４の上端を跨ぐようにホース２５を引き出すが、図３に示すように、短手方向の側壁部３４の上端を下方に下げる凹部３０を形成することで、ホース２５を取出し易くすることが可能である。
【００３５】
図２、図１０に示すように、掃除機本体２は、その外郭を上部外郭１６と下部外郭１７とで構成し、掃除機本体２の前方部には集塵室４及び塵埃収納部５が配置され、図４、図６、図９に示すように、下部外郭１７の前方部に配置された塵埃収納部５と共に、カバー部材３の前方開口部３５ａから突出するように形成されている。掃除機本体２の後方部には排気口１５を有し、カバー部材３の後方開口部３５ｂから突出するように形成されている。
【００３６】
また、図１、図２に示すように、下部外郭１７のカバー部材３から突出した部分には、下方に向けて本体脚部１８を形成し、掃除機本体が床などの平面上に安定的に置ける構成とした。ここで、本体脚部１８の高さをカバー部材３の底部３２が床に接触しないよう十分な高さとすることで、掃除機本体２の安定性をより向上させることができる。
【００３７】
本実施の形態１の電気掃除機１は電動送風機１１の駆動手段として、電池２２を用いている。一般的に、電池２２は高温環境においてその放電特性が低下する傾向があるため、適切な温度状態となるよう、放熱或いは冷却をすることが好ましい。
【００３８】
本実施の形態１においては、図２、図１０に示すように、電池２２を電動送風機１１の前方の吸気上流側で、かつ掃除機本体２の上面に配置し、電池２２の表面がカバー部材３で覆われない構成とすると共に、電池２２の外郭の一部を集塵室４に対向するように配置することで、電池２２が生じた熱を集塵室４の内部に生じる吸気側へ吸熱させる構成としたものである。
【００３９】
次に、本実施の形態１の構成における動作について説明する。図１０に示すように、使用者が電源操作部１９を操作することにより、電池２２から電動送風機１１に電気エネルギーが供給され、電動送風機１１が駆動し、空気が吸引される。これにより、ホース２５の先端部から吸引された塵埃を含んだ空気は、ホース２５から吸気通路１０を通り、塵埃収納部５へと導入される。
【００４０】
ここで、塵埃と空気が分離され、塵埃は塵埃収納部５内に備えた集塵用紙袋６の内部に留まり、清潔な空気は集塵室４の通気口を通って電動送風機１１に流入する。電動送風機１１から排出された空気は電動送風機カバー１２と下部外郭１７とで形成された排気経路１３を通り、排気部フィルター１４を通過し、排気口１５から機外へと排出される。
【００４１】
電動送風機カバー１２の上方にはプリント基板２１が配されており、電源操作部１９か
らの入力に基づいて、電動送風機１１への電気エネルギーの供給を制御すると共に、充電用ソケット２３に印加された電気エネルギーによって電池２２への充電状態を制御する。
【００４２】
本実施の形態１において、塵埃収納部５は一般的な電気掃除機にあるような、不織布や紙材で構成した集塵用紙袋６を用いて塵埃と空気を分離するものとしているが、これに限らず、サイクロンの遠心力気流を利用して塵埃と空気を分離するものであってもよい。
【００４３】
また、電動送風機１１を駆動する手段としては、電池２２による電気エネルギーの供給に限らず、電源コード（図示せず）を用いた外部電源によるものでもよい。
【００４４】
また、掃除機本体２を収容するカバー部材３は、布やウレタンなどの被服材料の他、発泡ゴムや発泡ポリエチレンなどの柔軟性を持つ材料、或いはこれらの組合せで構成したものであって良く、提げ手部３１の材質についても限定するものではない。
【００４５】
加えて、カバー部材３について、表面を耐摩耗性、撥水性、光沢性などの機能を持った被服材料や繊維材で覆うことにより、カバー部材３自体に機能性を付加することで電気掃除機１自体の美観性や機能性を向上させることが可能である。
【００４６】
また、カバー部材３や提げ手部３１の形状は図１から図１８に示した形状に限定されるものではなく、提げ手部３１の形状や補強部材の追加など、掃除機本体２の形状や用途に合わせて変更可能である。
【００４７】
（実施の形態２）
以下、本願発明の実施の形態２について、図１６及び、図１７を用いて説明する。
【００４８】
本実施の形態２において、カバー部材３は、上部が開口し掃除機本体２の底面部及び４方向の側壁部を形成する対面する長手方向の側壁部３３と対面する短手方向の側壁部３４を全面的或いは部分的に覆う袋状に構成され、内側下部に掃除機本体２を収納すると共に、内側上部には掃除機本体２に接続されるホース２５を収納するための収納部４４を設けている。
【００４９】
カバー部材３の対面する２方の長手方向の側壁部３３の上部には肩掛け部４０が別体に取付けられており、２方の長手方向の側壁部３３を互いに繋ぐように構成されている（図１６（Ａ）に示す）。
【００５０】
肩掛け部４０は肩掛けベルト４１と長さ調整手段４２、及び肩あて部４３とで構成されており、使用者は肩掛けベルト４１をタスキ掛けするようにして、カバー部材３及び掃除機本体２を携行することが可能である（図１６（Ｂ）に示す）。
【００５１】
これによって、使用者はカバー部材３を手で把持する必要がないため、電気掃除機１の使用時に一方の手でホース２５或いは吸込具２７を持ちつつ、もう一方の手で障害物を移動させるなど作業の効率を向上させることができる。
【００５２】
また、掃除機本体２の荷重は肩掛けベルト４１及び肩あて部４３を介して、肩で支えるため、腕部への負荷を軽減することができ、使用性の高い電気掃除機１とすることができる。
【００５３】
また、カバー部材３を布やウレタンなどの被服材料や、発泡ゴムや発泡ポリエチレンなどの柔軟性を持つ材料、或いはこれらの組合せで構成することで、掃除機本体２が使用者の身体に接触した際の衝撃を和らげることができると共に、掃除機本体２に内蔵された電
動送風機１１の振動が手に伝わることを低減させることができる。
【００５４】
カバー部材３の短手方向の側壁部３４には掃除機本体２の前後方向に向けて前方開口部３５ａと後方開口部３５ｂが設けられ、前側の前方開口部３５ａからは掃除機本体２に内蔵された塵埃収納部５が突出するように構成されており、後側の後方開口部３５ｂからは排気口１５が突出している。
【００５５】
本実施の形態２において、掃除機本体２の構成は、実施の形態１に記載の構成と同様であり、説明を省略する。
【００５６】
また、本実施の形態２において、肩掛け部４０はカバー部材３に対して着脱可能に構成されても良く、また、一体に構成してもよい。
【００５７】
また、肩掛け部４０の取付け位置は、対面する２方の長手方向の側壁部３３の上部に限らず、例えば、一方のみの長手方向の側壁部３３側に取付けたものでもよく（図１７に示す）、また、複数の肩掛け部を取付けても良い。
【００５８】
（実施の形態３）
以下、本願発明の実施の形態３について、図１８を用いて説明する。
【００５９】
本実施の形態３において、掃除機本体２は内部に電動送風機１１及び集塵室４を内蔵し、前後方向に長い略円筒状の外郭で構成されている。掃除機本体２の前方部には集塵室（図示せず）が構成され、集塵室内部には塵埃収納部５が着脱自在に配置されると共に、塵埃収納部５の一部は掃除機本体２の外郭を構成している。
【００６０】
カバー部材３は掃除機本体２の底面部と長手方向の２方の側面部を、全面的或いは部分的に覆う形状である。掃除機本体２の上方において、カバー部材３の２方の側面部は、その上端が重なるように接続されており、ここに肩掛け部４０が別体に取付けられており、使用者は肩掛けベルト４１をタスキ掛けするようにして、カバー部材３及び掃除機本体２を携行することが可能できると共に、カバー部材３を手で把持する必要がないため、電気掃除機１の使用時に一方の手でホース２５或いは吸込具２７を持ちつつ、もう一方の手で障害物を移動させるなど作業の効率を向上させることができる。
【００６１】
また、掃除機本体２の荷重は肩掛け部４０を介して、肩で支えるため、腕部への負荷を軽減することができ、使用性の高い電気掃除機１とすることができる。
【００６２】
カバー部材３は、それ自体が、布やウレタンなどの被服材料や、発泡ゴムや発泡ポリエチレンなどの柔軟性を持つ材料、或いはこれらの組合せで構成されており、掃除機本体２が使用者の身体に接触した際の衝撃を和らげることができると共に、掃除機本体２に内蔵された電動送風機１１の振動が手に伝わることを低減させることができる。
【００６３】
掃除機本体２の前方部は、カバー部材３の前方端部より突出するように構成されており、塵埃収納部５を容易に取出すことが可能である。
【００６４】
また、掃除機本体の２の後方部は、カバー部材３の後方端部より突出するように構成されており、排気口１５からの排気を機外に排出することができる。
【００６５】
掃除機本体２の上方には、掃除機本体２の上面と、カバー部材３の側壁内面部との間の空間で収納部４４を形成し、ここにホース２５及び、吸込具２７を収納可能としている。
【００６６】
本実施の形態３によれば、カバー部材３の形状を簡易なものとすることが可能であることから、カバー部材３の製造効率を高め、本実施の形態３の電気掃除機の価格をより安価にすることが可能である。
【産業上の利用可能性】
【００６７】
以上のように、本発明の電気掃除機用袋体は、塵埃吸引用の電動送風機及び集塵室を内蔵する掃除機本体と、集塵室に連通するホースとを備えた電気掃除機に対応し、上部に開口部を有し掃除機本体を収納する袋体であって、袋体には、前記開口部の長手方向に沿って、互いが対面するよう２つの提げ手部並びに肩掛け部が一体或いは別体に設けられたことにより、電気掃除機を容易に持ち運び可能となり、使用性が向上する。さらに、前記袋体は、上面において開口した構成であるため、ホースやホースに接続する吸込具を袋体の内側に効率よく収納することができるので、家庭用や業務用の電気掃除機に適用できる。
【符号の説明】
【００６８】
１  電気掃除機
２  掃除機本体
３  カバー部材（袋体）
４  集塵室
５  塵埃収納部
６  集塵用紙袋
７  着脱レバー
８  係り部
９  ホース接続部
１０  吸気通路
１１  電動送風機
１２  電動送風機カバー
１３  排気経路
１４  排気部フィルター
１５  排気口
１６  上部外郭
１７  下部外郭
１８  本体脚部
１９  電源操作部
２０  表示部
２１  プリント基板
２２  電池
２３  充電用ソケット
２４  開口部
２５  ホース
２７  吸込具
３１  提げ手部
３２  底部
３３  長手方向の側壁部
３４  短手方向の側壁部
３５ａ  前方開口部
３５ｂ  後方開口部
３６  縁取部材
３７  固定ベルト
３８  ベルト取付部
３９  ベルト接続部
４０  肩掛け部
４１  肩掛けベルト
４２  長さ調整手段
４３  肩あて部
４４  収納部
【図１】
2017176402.tif 000003
【図２】
2017176402.tif 000004
【図３】
2017176402.tif 000005
【図４】
2017176402.tif 000006
【図５】
2017176402.tif 000007
【図６】
2017176402.tif 000008
【図７】
2017176402.tif 000009
【図８】
2017176402.tif 000010
【図９】
2017176402.tif 000011
【図１０】
2017176402.tif 000012
【図１１】
2017176402.tif 000013
【図１２】
2017176402.tif 000014
【図１３】
2017176402.tif 000015
【図１４】
2017176402.tif 000016
【図１５】
2017176402.tif 000017
【図１６】
2017176402.tif 000018
【図１７】
2017176402.tif 000019
【図１８】
2017176402.tif 000020
【図１９】
2017176402.tif 000021